(57)【要約】【課題】天板面積を容易に拡大縮小させることができるとともに、天板面積を拡大させたときでも天板を安定して支持することができるこたつ用テーブルを提供する。【解決手段】こたつ用テーブルＴは、支持脚１により所定の高さ位置に支持された枠体２と、枠体２の上に載置される天板５とを備え、枠体２が伸縮可能に構成されて天板５を支持する面を拡大縮小可能であるとともに、天板５が複数の板部材５１を連結して構成されて天板５の上面を拡大縮小可能であることを特徴とする。【選択図】図２
2011083544.tif 000002
【特許請求の範囲】
【請求項１】
支持脚により所定の高さ位置に支持された天板支持部材と、前記天板支持部材の上に載置される天板とを備えるこたつ用テーブルであって、
前記天板支持部材が伸縮可能に構成されて前記天板を支持する面を拡大縮小可能であるとともに、前記天板が複数の板部材を連結して構成されて前記天板の上面を拡大縮小可能であることを特徴とするこたつ用テーブル。
【請求項２】
前記天板支持部材は、複数のフレーム部材により枠状に形成されるとともに、前記複数のフレーム部材のうち少なくとも対向する二本の前記フレーム部材が伸縮可能な伸縮フレームにより構成されたことを特徴とする請求項１に記載のこたつ用テーブル。
【請求項３】
前記伸縮フレームは、一対のフレーム本体と、前記一対のフレーム本体に伸縮方向に延びて形成されたポール挿通孔に摺動自在に挿入されたポール部材とを有し、前記フレーム本体が前記ポール部材に対して相対移動することで伸縮可能に構成されたことを特徴とする請求項２に記載のこたつ用テーブル。
【請求項４】
二本の前記伸縮フレームに跨って前記伸縮フレームの伸縮作動に対して相対移動可能に設けられた発熱体支持枠を介して発熱体が前記天板支持部材に取り付けられたことを特徴とする請求項２または３に記載のこたつ用テーブル。
【請求項５】
前記天板は、二枚の板部材を蝶番により連結して構成され、前記二枚の板部材を面一に開いた拡大状態と前記二枚の板部材を重ね合わせて折り畳んだ縮小状態とに変更可能に構成されたことを特徴とする請求項１〜４のいずれかに記載のこたつ用テーブル。
【請求項６】
前記天板は、前記拡大状態を保持するためのロック機構を備えることを特徴とする請求項５に記載のこたつ用テーブル。
【請求項７】
前記ロック機構は、前記二枚の板部材の連結側の側面に開口し、前記拡大状態になったときに連通するように前記二枚の板部材に形成された挿通孔と、一方の前記板部材に形成され、前記縮小状態のときに他方の前記板部材と重なる側の面に開口し、前記挿通孔の側面開口の反対側端部と連通する操作溝と、前記挿通孔および前記操作溝内に摺動自在に挿入された棒状のロック部材とを有し、前記ロック部材を前記操作溝側に摺動させると前記ロック部材が前記他方の板部材の前記挿通孔に挿入されず、前記ロック部材を前記挿通孔側に摺動させると前記ロック部材が両方の前記挿通孔に挿入された状態となるように構成されたことを特徴とする請求項６に記載のこたつ用テーブル。
【請求項８】
前記ロック部材は、前記操作溝側の端部近傍に側方に延びて形成された係止突出部を有し、
前記操作溝は、前記ロック部材が前記他方の板部材の前記挿通孔に挿入されないときに前記係止突出部が嵌入可能な非ロック係止溝部と、前記ロック部材が両方の前記挿通孔に挿入されたときに前記係止突出部が嵌入可能なロック係止溝部とを有することを特徴とする請求項７に記載のこたつ用テーブル。
【発明の詳細な説明】
【技術分野】
【０００１】
本発明は、必要に応じて天板面積を拡大縮小可能なこたつ用テーブルに関する。
【背景技術】
【０００２】
従来、このようなこたつ用テーブルとしては、天板の下面側に摺動可能に収容された補助天板を備えて構成され、例えば来客等により日常の使用以上の天板面積が必要になったときに、この補助天板を引き出すことで天板面積を拡大することができるものが知られている（例えば、特許文献１を参照）。また、天板の上面に補助天板を着脱可能に載置するとともに、支持脚の各々を、天板側に取り付けられている主支持脚と、この主支持脚の下端に着脱可能に連結される補助支持脚とから構成し、天板から補助天板を取り外すとともに、主支持脚から補助支持脚を取り外し、天板と主支持脚からなる第１テーブルと、補助天板と補助支持脚からなる第２テーブルとを並べて使用することで大きな天板面積を実現できるものが知られている（例えば、特許文献２を参照）。
【先行技術文献】
【特許文献】
【０００３】
【特許文献１】特開平７‐１６７４３９号公報
【特許文献２】特開平９‐３１３２５７号公報
【発明の概要】
【発明が解決しようとする課題】
【０００４】
ところで、上述した補助天板を天板の下面側に摺動可能に収容したこたつ用テーブルでは、補助天板を引き出して使用するときに、天板と補助天板の境界部分に段差が生じるため使い勝手が悪く、また、補助天板がせり出すためこの補助天板に上から荷重が加わると、テーブル全体が傾いて転倒する虞があった。また、一つのテーブルから二つのテーブルに変形可能なこたつ用テーブルでは、天板から補助天板を取り外したり、主支持脚から補助支持脚を取り外したりするため、天板面積の変更作業が煩雑であるという問題があった。
【０００５】
本発明はこのような課題に鑑みてなされたものであり、天板面積を容易に拡大縮小させることができるとともに、天板面積を拡大させたときでも天板を安定して支持することができるこたつ用テーブルを提供することを目的とする。
【課題を解決するための手段】
【０００６】
上記目的を達成するため、本発明は、支持脚により所定の高さ位置に支持された天板支持部材（例えば、実施形態における枠体２）と、前記天板支持部材の上に載置される天板とを備えるこたつ用テーブルであって、前記天板支持部材が伸縮可能に構成されて前記天板を支持する面を拡大縮小可能であるとともに、前記天板が複数の板部材を連結して構成されて前記天板の上面を拡大縮小可能であることを特徴とする。
【０００７】
なお、上記構成のこたつ用テーブルにおいて、前記天板支持部材は、複数のフレーム部材により枠状に形成されるとともに、前記複数のフレーム部材のうち少なくとも対向する二本の前記フレーム部材が伸縮可能な伸縮フレームにより構成されることが好ましい。また、このとき、前記伸縮フレームは、一対のフレーム本体と、前記一対のフレーム本体に伸縮方向に延びて形成されたポール挿通孔に摺動自在に挿入されたポール部材とを有し、前記フレーム本体が前記ポール部材に対して相対移動することで伸縮可能に構成されることが好ましい。
【０００８】
また、上記構成のこたつ用テーブルにおいて、二本の前記伸縮フレームに跨って前記伸縮フレームの伸縮作動に対して相対移動可能に設けられた発熱体支持枠（例えば、実施形態におけるヒータ支持枠２０）を介して発熱体（例えば、実施形態における電熱ヒータ３）が前記天板支持部材に取り付けられることが好ましい。
【０００９】
また、上記構成のこたつ用テーブルにおいて、前記天板は、二枚の板部材を蝶番により連結して構成され、前記二枚の板部材を面一に開いた拡大状態と前記二枚の板部材を重ね合わせて折り畳んだ縮小状態とに変更可能に構成されることが好ましい。なお、このとき、前記天板は、前記拡大状態を保持するためのロック機構を備えることが好ましい。
【００１０】
また、上記構成のこたつ用テーブルにおいて、前記ロック機構は、前記二枚の板部材の連結側の側面に開口し、前記拡大状態になったときに連通するように前記二枚の板部材に形成された挿通孔と、一方の前記板部材に形成され、前記縮小状態のときに他方の前記板部材と重なる側の面に開口し、前記挿通孔の側面開口の反対側端部と連通する操作溝と、前記挿通孔および前記操作溝内に摺動自在に挿入された棒状のロック部材とを有し、前記ロック部材を前記操作溝側に摺動させると前記ロック部材が前記他方の板部材の前記挿通孔に挿入されず、前記ロック部材を前記挿通孔側に摺動させると前記ロック部材が両方の前記挿通孔に挿入された状態となるように構成されることが好ましい。なお、このとき、前記ロック部材は、前記操作溝側の端部近傍に側方に延びて形成された係止突出部を有し、前記操作溝は、前記ロック部材が前記他方の板部材の前記挿通孔に挿入されないときに前記係止突出部が嵌入可能な非ロック係止溝部と、前記ロック部材が両方の前記挿通孔に挿入されたときに前記係止突出部が嵌入可能なロック係止溝部とを有して構成されることが好ましい。
【発明の効果】
【００１１】
本発明に係るこたつ用テーブルよれば、天板支持部材が伸縮可能に構成されて天板を支持する面を拡大縮小可能であるとともに、天板が複数の板部材を連結して構成されて天板の上面を拡大縮小可能であるので、天板支持部材および天板を容易に拡大縮小させることができる。また、天板面積の拡大に応じて天板支持部材も拡大可能なため、拡大させた天板を安定して支持することができる。
【００１２】
なお、上記こたつ用テーブルにおいて、天板支持部材は、複数のフレーム部材により枠状に形成されるとともに、複数のフレーム部材のうち少なくとも対向する二本のフレーム部材が伸縮可能な伸縮フレームにより構成されることが好ましく、このように構成すると、天板の支持強度を保ちつつ軽量な天板支持部材を実現することができる。なお、このとき、伸縮フレームは、一対のフレーム本体と、一対のフレーム本体に伸縮方向に延びて形成されたポール挿通孔に摺動自在に挿入されたポール部材とを有し、フレーム本体がポール部材に対して相対移動することで伸縮可能に構成されることが好ましく、このように構成すると、伸縮フレームの強度を維持しつつ簡単な構成で伸縮フレームを実現することができるため、安価なこたつ用テーブルを提供することができる。
【００１３】
また、上記こたつ用テーブルにおいて、二本の伸縮フレームに跨って伸縮フレームの伸縮作動に対して相対移動可能に設けられた発熱体支持枠を介して発熱体が天板支持部材に取り付けられることが好ましく、このように構成すると、伸縮フレームを伸長させて天板支持部材を拡大させた場合でも、平面視において天板支持部材の中央に発熱体を位置させることができるため、発熱体によりこたつ内全体を効率的に暖めることができる。
【００１４】
また、上記こたつ用テーブルにおいて、天板は、二枚の板部材を蝶番により連結して構成され、二枚の板部材を面一に開いた拡大状態と二枚の板部材を重ね合わせて折り畳んだ縮小状態とに変更可能に構成されることが好ましく、このように構成すると、簡単な構成で天板面積を容易に拡大縮小可能な天板を実現することができるため、安価なこたつ用テーブルを提供することができる。なお、このとき、天板は拡大状態を保持するためのロック機構を備えることが好ましく、このように構成すると、ロック機構により天板の拡大状態が保持されるため、天板の両サイドに上から荷重を加えると中央が浮き上がってしまうような不具合を防止することができる。
【００１５】
また、上記こたつ用テーブルにおいて、ロック機構は、二枚の板部材の連結側の側面に開口し、拡大状態になったときに連通するように二枚の板部材に形成された挿通孔と、一方の板部材に形成され、縮小状態のときに他方の板部材と重なる側の面に開口し、挿通孔の側面開口の反対側端部と連通する操作溝と、挿通孔および操作溝内に摺動自在に挿入された棒状のロック部材とを有し、ロック部材を操作溝側に摺動させるとロック部材が他方の板部材の挿通孔に挿入されず、ロック部材を挿通孔側に摺動させるとロック部材が両方の挿通孔に挿入された状態となるように構成されることが好ましく、このように構成すると、簡単な構成でロック機構を実現することができるため、安価なこたつ用テーブルを提供することができる。なお、このとき、ロック部材は、操作溝側の端部近傍に側方に延びて形成された係止突出部を有し、操作溝は、ロック部材が他方の板部材の挿通孔に挿入されないときに係止突出部が嵌入可能な非ロック係止溝部と、ロック部材が両方の挿通孔に挿入されたときに係止突出部が嵌入可能なロック係止溝部とを有して構成されることが好ましく、このように構成すると、ロック部材が挿通孔および操作溝内を勝手に摺動して、ユーザの意図に反してロック部材が挿通孔および操作溝内を勝手に摺動して、ロック状態と非ロック状態とが切り替わることを防ぐことができる。
【図面の簡単な説明】
【００１６】
【図１】本発明に係るこたつ用テーブルを示す図であり、（ａ）はこたつ用テーブルの正面図、（ｂ）はこたつ用テーブルの平面図（ただし天板を除く）である。
【図２】上記こたつ用テーブルの伸長状態を示す図であり、（ａ）はこたつ用テーブルの正面図、（ｂ）はこたつ用テーブルの平面図（ただし天板を除く）である。
【図３】上記こたつ用テーブルを構成する枠体の伸縮フレームを示す図であり、（ａ）は図１（ｂ）における矢印IIIa‐IIIaに沿って示す断面図、（ｂ）は図２（ｂ）における矢印IIIb‐IIIbに沿って示す断面図である。
【図４】図２（ｂ）における矢印IV‐IVに沿って示す伸縮フレームの断面図である。
【図５】上記こたつ用テーブルを構成する電熱ヒータを枠体に取り付けるためのヒータ支持枠を示す平面図である。
【図６】上記こたつ用テーブルを構成する天板を示す平面図である。
【図７】上記天板を開いた状態に保持するためのロック機構を示す要部拡大図である。
【発明を実施するための形態】
【００１７】
以下、図面を参照して本発明の好ましい実施形態について説明する。本発明に係るこたつ用テーブルＴは、図１および図２に示すように、四本の支持脚１により所定高さに支持された枠体２と、枠体２に取り付けられた電熱ヒータ３と、枠体２上に載置される天板５とを有して構成される。
【００１８】
枠体２は、四本のフレーム部材を平面視で矩形枠状に連結して構成されており、四隅角部の下面に支持脚１が固定されている。枠体２を構成する四本のフレーム部材のうち対向する二本のフレーム部材は、軸方向に伸縮可能な伸縮フレーム１０，１０によって構成されている。伸縮フレーム１０は、図３および図４に示すように、左右一対のフレーム本体１１，１１と、左右のフレーム本体１１を繋ぐポール部材１５とを有して構成される。左右のフレーム本体１１には軸方向に貫通したポール挿通孔１２がそれぞれ形成され、このポール挿通孔１２にポール部材１５が摺動自在に挿入されており、伸縮フレーム１０は、左右のフレーム本体１１がポール部材１５に対して軸方向に相対移動することで伸縮可能な構造となっている。
【００１９】
ポール挿通孔１２のポール挿入側には、ポール挿通孔１２とポール部材１５の間に介在するようにプラスチック製の筒状部材１３が設けられており、この筒状部材１３によりフレーム本体１１がポール部材１５に対してスムーズに相対移動することができるようになっている。また、ポール挿通孔１２のポール挿入側（ただし、筒状部材１３が設けられた位置より中央側）には、ポール挿通孔１２の径が狭まるように係止段部１２ａが形成されている。
【００２０】
ポール部材１５の左右端部には、ポール部材１５よりも大きな外径（ただし、ポール挿通孔１２の内径よりは小さな外径）を有するストッパー部材１６が取り付けられおり、左右のフレーム本体１１がポール部材１５に対して軸方向に相対移動して伸縮フレーム１０が伸長していき所定の長さ（最大の伸長長さ）になると、図３（ｂ）に示すように、ストッパー部材１６がポール挿通孔１２の係止段部１２ａに当接して、伸縮フレーム１０がそれ以上に伸長することを規制する構造となっている。なお、ポール部材１５の外周面にはＳＰＵコート紙（スーパーコーティングウレタン樹脂シート）が巻かれており、このＳＰＵコート紙によりポール部材１５の表面を傷つき難くなっているとともに、表面摩擦を低減させてフレーム本体１１がポール部材１５に対してスムーズに相対移動することができるようになっている。
【００２１】
伸縮フレーム１０には、所定の長さに伸びた伸縮フレーム１０の状態を保持するためのポール止め機構１７，１７が配設されている。ポール止め機構１７は、図３に示すように、フレーム本体１１の下面からポール挿通孔１２に貫通した貫通孔に設けた雌ネジ部材と、この雌ネジ部材に螺入される手動操作可能なハンドル部材（雄ネジ部材）とを有し、バンドル部材の先端部をポール部材１５に押圧させて、フレーム本体１１のポール部材１５に対する相対移動を規制する構造となっている。
【００２２】
図４に示すように、左右のフレーム本体１１の側面（枠体２を構成する際の内側となる面）には軸方向に延びる凹溝１１ａがそれぞれ形成され、この凹溝１１ａに電熱ヒータ３を支持するヒータ支持枠２０が摺動自在に嵌入されており、左右のフレーム本体１１はヒータ支持枠２０に対しても軸方向に相対移動することができる構造となっている。また、図４に示すように凹溝１１ａには係止突起１１ｂが設けられている。
【００２３】
ヒータ支持枠２０は、図５に示すように、枠体２を構成する二本の伸縮フレーム１０における左右のフレーム本体１１の凹溝１１ａにそれぞれ嵌入される第１フレーム２１，２１と、この第１フレーム２１，２１間に架設された二本の第２フレーム２２，２２と、この第２フレーム２２，２２間に架設された第３フレーム２３，２３とを有して構成される。第１フレーム２１の側面（凹溝１１ａに嵌入される側の面）には、長手方向に延びる係止凹溝２１ａが形成されており、第１フレーム２１が凹溝１１ａに嵌入されると、この係止凹溝２１ａに凹溝１１ａ内の係止突起１１ｂが嵌入する状態となり（図４を参照）、伸縮フレーム１０が所定の長さ（最大の伸長長さ）になると、上述したようにストッパー部材１６が係止段部１２ａに当接するとともに、係止突起１１ｂが係止凹溝２１ａの側壁に当接して、伸縮フレーム１０がそれ以上に伸長することを規制する構造となっている。
【００２４】
電熱ヒータ３は、通電により熱を発する暖房装置であり、例えば、石英管ヒータやハロゲンヒータによって構成され、図１および図２に示すように、ヒータ支持枠２０における第２および第３フレーム２２，２３によって形成される枠状部に取り付けられている。電熱ヒータ３の上方には、枠体２を覆ってこたつ布団を設けた場合に、こたつ布団が電熱ヒータ３に直接触れないようにするため、電熱ヒータ３の上方を覆うようにヒータ支持枠２０に第１板部材３１が取り付けられている。また、特に、図２に示すように伸縮フレーム１０を伸長させてこたつ用テーブルＴを使用する場合に、枠体２の内側においてこたつ布団が下方に垂れ下がることを防止するため、枠体２の上面に左右一対の第２板部材３２，３２が取り付けられている。なお、図１および図２において、枠体２やヒータ支持枠２０等の構成を明瞭に示すため、これらを実線で図示し、第１および第２板部材３１，３２を二点鎖線で図示している。
【００２５】
天板５は、図６に示すように、２枚の同一形状の板部材５１，５１の一端縁が蝶番５２，５２によって連結され、２枚の板部材５１，５１を重ね合わせて折り畳んだ縮小状態（図１（ａ）を参照）と、２枚の板部材５１，５１を面一に開いた拡大状態（図２（ｂ）も参照）とに変更可能に構成されている。なお、本実施形態における縮小状態では、天板５の載置面積が広げた新聞紙を載置できる広さを備えており、拡大状態では載置面積が縮小状態の２倍の広さとなる。板部材５１，５１の蝶番５２，５２の近傍位置には、拡大状態を保持するための二個のロック機構５５，５５が配設されている。
【００２６】
ロック機構５５は、図７に示すように、２枚の板部材５１，５１の連結側の側面に開口し、拡大状態になったときに連通するように板部材５１，５１に形成された挿通孔５６，５６と、一方の板部材５１に形成され、縮小状態となったときに他方の板部材５１と重なる側の面に開口し、挿通孔５６の側面開口の反対側端部と連通する操作溝５７と、挿通孔５６および操作溝５７内に摺動自在に挿入された円柱棒状のロック部材５８とを有して構成される。
【００２７】
操作溝５７は、挿通孔５６と同一方向に延びて形成されているとともに、挿通孔５６と連通する側の位置に側方に延びるロック係止溝部５７ａと、連通側と反対側の位置に側方に延びる非ロック係止溝部５７ｂが形成されている。ロック部材５８の操作溝側の側面には係止突出部５８ａが形成されており、ロック部材５８は平面視でＬ字形状を成している。ロック部材５８の長さは、図７（ａ）に示すように、ロック部材５８を操作溝５７側に摺動させて係止突出部５８ａを非ロック係止溝部５７ｂに嵌入させた非ロック状態では、ロック部材５８の先端部が他方の挿通孔５６に届かないように設定されており、かつ、図７（ｂ）に示すように、ロック部材５８を挿通孔５６側に摺動させて係止突出部５８ａをロック係止溝部５７ａに嵌入させたロック状態では、ロック部材５８の先端側が他方の挿通孔５６内に挿入されるように設定されている。
【００２８】
このように構成されたロック機構５５は、図７（ａ）に示すように、ロック部材５８を操作溝５７側に摺動させて係止突出部５８ａを非ロック係止溝部５７ｂに嵌入させると（非ロック状態とすると）、ロック部材５８が他方の挿通孔５６に挿入されないので天板５を折り畳むことが可能となり、図７（ｂ）に示すように、ロック部材５８を挿通孔５６側に摺動させて係止突出部５８ａをロック係止溝部５７ａに嵌入させると（ロック状態とすると）、ロック部材５８が両方の挿通孔５６，５６内に挿入されて天板５の拡大状態を保持する構造となっている。
【００２９】
なお、こたつ用テーブルＴには、枠体２上に載置された拡大状態の天板５を固定保持するための天板止め機構３５，３５が配設されている。天板止め機構３５は、板部材５１に設けた雌ネジ部材３５ａ（図６を参照）と、枠体２を構成する伸縮フレーム１０以外の二本のフレーム部材に設けられ、雌ネジ部材３５ａに螺入される手動操作可能なハンドル部材（雄ネジ部材）３５ｂ（図２を参照）とを有し、拡大状態の天板５が枠体２上に直接載置されたときに、雌ネジ部材３５ａにハンドル部材３５ｂを螺入させて、天板５を固定保持する構造となっている。
【００３０】
以上のように構成されたこたつ用テーブルＴによれば、図１に示すように、伸縮フレーム１０を伸長させない状態の枠体２において、この枠体２を覆ってこたつ布団（図示せず）を設け、その上に縮小状態の天板５を載置することで「こたつ」として使用しようすることができる。また、こたつ布団を設けずに枠体２上に天板５を直接載置することで「通常のテーブル」として使用することもできる。さらに、図２に示すように、伸縮フレーム１０を伸長させた状態の枠体２においても、この枠体２を覆って設けたこたつ布団の上に拡大状態の天板５を設置することで「こたつ」として使用することができ、また、枠体２上に天板５を直接載置することで「通常のテーブル」として使用することもできる。このように、枠体２および天板５を容易に拡大縮小させることができ、「こたつ」または「通常のテーブル」として使用することができる。また、天板５に応じて枠体２も拡大可能なため、拡大状態の天板５を安定して支持することができる。
【００３１】
また、枠体２は、四本のフレーム部材により枠状に形成されるとともに、この四本のフレーム部材のうちの対向する二本が伸縮フレーム１０，１０によって構成され、この伸縮フレーム１０が、左右一対のフレーム本体１１，１１と、左右のフレーム本体１１を繋ぐポール部材１２とを有して構成されるため、天板の支持強度を保ちつつ、軽量かつ簡単な構成で枠体２を実現することができ、安価なこたつ用テーブルを提供することができる。
【００３２】
また、電熱ヒータ３は伸縮フレーム１０，１０に対して相対移動可能に設けられたヒータ支持枠２０を介して枠体２に取り付けられているため、伸縮フレーム１０，１０を伸長させて枠体２を拡大させた場合でも、平面視において枠体２の中央に電熱ヒータ３を位置させることができ、電熱ヒータ３によりこたつ内全体を効率的に暖めることができる。
【００３３】
また、天板５は、二枚の板部材５１，５１を蝶番５２，５２により連結して拡大状態と縮小状態とに変更可能に構成されるため、簡単な構成で天板面積を拡大縮小可能な天板を実現することができ、安価なこたつ用テーブルを提供することができる。また、ロック機構５５、５５により天板５の拡大状態が保持されるため、天板５の両サイドに上から荷重を加えると中央が浮き上がってしまうような不具合を防止することができる。また、拡大状態の天板５で通常のテーブルとして使用するときには、天板止め機構３５により天板５が枠体２に固定保持されるため、天板５が枠体２上においてずれることがない。
【００３４】
なお、上記実施形態では、特許請求の範囲における天板支持部材の一例として、四本のフレーム部材により枠状に形成されるとともに、この四本のフレーム部材のうちの対向する二本が伸縮フレーム１０，１０によって構成された枠体２を例示しているが、天板支持部材はこのような構成に限定されない。例えば、二枚の板状部材を摺動可能に連結して天板支持部材を構成してもよい。
【００３５】
また、上記実施形態では、伸縮フレームの一例として、左右一対のフレーム本体１１，１１と、左右のフレーム本体１１を繋ぐポール部材１２とを有して構成される伸縮フレーム１０を例示しているが、伸縮フレームはこのような構成に限定されない。例えば、左右一対のフレーム本体をガイドレール等を用いて摺動可能に連結して伸縮フレームを構成してもよい。
【００３６】
また、上記実施形態では、天板の一例として、二枚の板部材５１，５１を蝶番５２，５２により連結して構成された天板５を例示しているが、天板はこのような構成に限定されない。例えば、蛇腹式に伸び縮みするように天板を構成してもよく、このように構成すると、上記実施形態よりも天板面積を自由に拡大縮小可能なこたつ用テーブルとすることができる反面、天板の構造が複雑になるため、安価なこたつ用テーブルを提供することが難しくなる。
【００３７】
また、上記実施形態では、ロック機構の一例として、上述のロック機構５５を例示しているが、ロック機構はこのような構成に限定されない。例えば、二枚の板部材を蝶番により連結して構成された天板において、一方の板部材の側面に設けられたフック部材と、他方の板部材の側面に回転自在に支持された開閉レバーと、開閉レバーに回転自在に支持された係止リングとを有し、係止リングを開閉レバーにより引張ってフック部材と係止リングを係合させて二枚の板部材を固定保持するパチン錠によってロック機構を構成してもよい。また、上記実施形態において、ロック機構５５が二個設けられているが、ロック機構５５の個数は二個に限定されず、一個または三個以上設けてもよい。
【符号の説明】
【００３８】
Ｔ    こたつ用テーブル        １    支持脚
２    枠体（天板支持部材）    ３    電熱ヒータ（発熱体）
５    天板                    １０  伸縮フレーム
１１  フレーム本体            １２  ポール挿通孔
１５  ポール部材              ２０  ヒータ支持枠（発熱体支持枠）
５１  板部材                  ５２  蝶番
５５  ロック機構              ５６  挿通孔
５７  操作溝                  ５７ａ  ロック係止溝部
５７ｂ  非ロック係止溝部      ５８  ロック部材
５８ａ  係止突出部
【図１】
2011083544.tif 000003
【図２】
2011083544.tif 000004
【図３】
2011083544.tif 000005
【図４】
2011083544.tif 000006
【図５】
2011083544.tif 000007
【図６】
2011083544.tif 000008
【図７】
2011083544.tif 000009